(57)【特許請求の範囲】
【請求項１】
遊技盤の下側に位置する支持枠の前面に発射レールを傾斜状に設置し、該発射レールの基端部の玉発射位置に送り込まれた玉を遊技盤面に向けて打ち出すようにしたパチンコ機の発射装置において、
前記発射レールの基端部上方に臨む部位で前記支持枠の前面に支点を設定すると共に該支点から発射レールの玉発射位置に向けて自由端である下端側を臨ませるように垂下させて、発射レールの玉発射位置に送り込まれた玉を平坦な板面で当て止めるようにした発射板と、
前記支持枠の前面で前記発射レールの上方スペースに設置されると共に横向きに往復直線動作可能なプランジャーを有する発射ソレノイドと、
前記支持枠の前面であって前記発射板の後方スペースに前記発射板の支点と略横並びの位置に設けた取付軸で揺動可能に軸着し、前記取付軸より上部を前記発射ソレノイドのプランジャーの打撃を受ける打撃受部とし、また、前記取付軸より下部を前記発射板の下端側の後面を叩打する叩打部とした発射槌と、を有し、
前記発射ソレノイドのプランジャーで前記発射槌の打撃受部を打撃することにより発射槌を作動させて叩打部の傾動により前記発射板の下端側の後面を瞬時的に叩打し、その叩打力で発射板の下端側を発射レールの発射方向に沿って傾動変移させて前記玉発射位置の玉を打ち出すようにしたことを特徴とするパチンコ機の発射装置。
【発明の詳細な説明】
【０００１】
【発明の属する技術分野】
この発明は、パチンコ機における玉の発射装置に関し、特に、電磁ソレノイドよりなる発射ソレノイドを駆動源として発射レールの玉発射位置にある玉を遊技盤に向けて発射するパチンコ機の発射装置の改良に関する。
【０００２】
【従来の技術】
この種のパチンコ機の発射装置は、例えば、特開平２−１４７０７９号公報に開示されている。このようなパチンコ機の発射装置において、電磁ソレノイドよりなる発射ソレノイドは、そのプランジャーが発射レールの延長線上に位置するようにして支持枠に組み付けられている。そして、発射ソレノイドの励磁に基づいてプランジャーが発射レールの玉発射位置にある玉に向けて前進されることで、そのプランジャーの先端によって前記玉が叩打され、これによって玉が遊技盤に向けて発射されるようになっている。
【０００３】
【発明が解決しようとする課題】
ところで、前記従来のパチンコ機の発射装置にあっては、発射レールの延長線上において発射ソレノイドが配設される構造上、モータを駆動源として発射槌を作動する一般的な発射装置と異なり、発射レールの玉発射位置をパチンコ機の中心側に寄せて、発射ソレノイドを組み付けるスペースを確保する必要性が生じる。さらに、発射レールの玉発射位置をパチンコ機の中心側に寄せると、これに関連して、前板の上皿や打球供給装置の構成・組付けに悪影響を及ぼし、発射ソレノイドを駆動源として採用することができなくなる場合もある。
【０００４】
この発明の目的は、前記従来の問題点に鑑み、発射レールの玉発射位置をパチンコ機の中心側に寄せる必要性を解消しながら発射ソレノイドを駆動源として採用することができるパチンコ機の発射装置を提供することである。
【０００５】
【課題を解決するための手段】
遊技盤の下側に位置する支持枠の前面に発射レールを傾斜状に設置し、該発射レールの基端部の玉発射位置に送り込まれた玉を遊技盤面に向けて打ち出すようにしたパチンコ機の発射装置において、
前記発射レールの基端部上方に臨む部位で前記支持枠の前面に支点を設定すると共に該支点から発射レールの玉発射位置に向けて自由端である下端側を臨ませるように垂下させて、発射レールの玉発射位置に送り込まれた玉を平坦な板面で当て止めるようにした発射板と、
前記支持枠の前面で前記発射レールの上方スペースに設置されると共に横向きに往復直線動作可能なプランジャーを有する発射ソレノイドと、
前記支持枠の前面であって前記発射板の後方スペースに前記発射板の支点と略横並びの位置に設けた取付軸で揺動可能に軸着し、前記取付軸より上部を前記発射ソレノイドのプランジャーの打撃を受ける打撃受部とし、また、前記取付軸より下部を前記発射板の下端側の後面を叩打する叩打部とした発射槌と、を有し、
前記発射ソレノイドのプランジャーで前記発射槌の打撃受部を打撃することにより発射槌を作動させて叩打部の傾動により前記発射板の下端側の後面を瞬時的に叩打し、その叩打力で発射板の下端側を発射レールの発射方向に沿って傾動変移させて前記玉発射位置の玉を打ち出すようにしたパチンコ機の発射装置を提供する。
【０００６】
以上の構成である本発明の発射装置は、発射レールの上方スペースに発射ソレノイドが設けられるため、発射レールの玉発射位置をパチンコ機の中心側に寄せる必要性を解消することができる。
また、発射ソレノイドの励磁に基づいてプランジャーが作動され、そのプランジャーによって発射槌の打撃受部が打撃されることで、発射槌がその略中央部を中心として回動される。そして、発射槌の叩打部によって発射レールの玉発射位置にある玉が叩打され、その玉が遊技盤に向けて発射される。
【０００７】
【発明の実施の形態】
次に、この発明の実施の形態を図面にしたがって説明する。図７において、パチンコ機１のベース枠２には、遊技盤５に対応する位置において、ガラス枠８が開閉可能に組み付けられるとともに、そのガラス枠８の下方には、上皿４を有する前板３が開閉可能に組み付けられている。また、前記ベース枠２の下部前面には、その片側寄りにハンドル７が回動軸６を中心として回動操作可能に組み付けられ、中央部には下皿１０が組み付けられている。
【０００８】
前記ベース枠２には、前板３の裏面側において、遊技盤５の下部に隣接して支持枠１１が組み付けられている。図１に示すように、前記支持枠１１には、上皿４側から周知の打球供給装置（図示しない）によって供給される玉８０を遊技盤５の外側レール９に向けて発射する発射装置２０が組み付けられている。前記発射装置２０は、発射レール２１、発射ソレノイド３０、発射槌４１及び発射板５０を備えている。前記発射レール２１は、外側レール９に隣接する先端側が高く基端側が低い傾斜状をなして支持枠１１の前面の所定位置に組み付けられている。
【０００９】
前記発射ソレノイド３０は、発射レール２１の延長線から離れた上方に位置して支持枠１１に組み付けられている。この実施の形態において、支持枠１１には、上下一対をなす保持壁１２が突設され、これら保持壁１２によって構成される組付室１４には、緩衝性を有する所要数の防振ゴム３５を介して発射ソレノイド３０が防振状態で組み付けられている。また、図４と図５に示すように、支持枠１１には、その組付室１４を支持枠１１の裏面に開口して発射ソレノイド３０が発する熱を逃がす放熱孔１３が貫設されている。さらに、図３〜図５に示すように、支持枠１１の一対の保持壁１２の突出端には、これら保持壁１２に跨ってソレノイドカバー２９がネジ２８等によって取り付けられている。
【００１０】
前記発射ソレノイド３０のプランジャー３１の両端部は、その発射ソレノイド３０の本体の両端面よりそれぞれ突出されており、プランジャー３１の一端に形成された大径部３２と本体との間には、戻バネ３４が組み付けられ、前記プランジャー３１の他端部には、発射槌４１を打撃する大径の打撃部３３が形成されている。また、発射ソレノイド３０は、ハンドル７の回動操作に基づき、かつ制御装置によって作動制御される。すなわち、ハンドル７が回動操作されることで、発射ソレノイド３０は、毎分１００回程度、間欠的に励磁されるとともに、ハンドル７の操作角度が増減されることで、発射ソレノイド３０に対する電圧又は通電時間が変化される。これによって、プランジャー３１の前進（突出）速度が増減されるようになっている。
【００１１】
図１と図２に示すように、前記発射レール２１の基端側の玉発射位置Ｐと、プランジャー３１の打撃部３３との間には、そのプランジャー３１の打撃部３３によって打撃されて変位されることで、玉発射位置にある玉８０を遊技盤５の外側レール９に向けて発射する発射槌４１が設けられている。この実施の形態において、前記発射槌４１は、その長手方向の略中央部において取付軸４０によって支持枠１１に回動可能に組み付けられている。そして、発射槌４１の一端部（図１において上端部）には、プランジャー３１の打撃部３３に接離可能に対向する打撃受部４３が略半球面状をなして突出されている。また、発射槌４１の他端部は、発射レール２１の玉発射位置Ｐに向けて略鉤形状に屈曲されており、その屈曲端部には叩打部４２が略半球面をなして突出されている。さらに、打撃受部４３と叩打部４２を有する発射槌４１は、合成樹脂の射出成形によって一体成形されている。
【００１２】
前記発射レール２１の玉発射位置Ｐと発射槌４１の叩打部４２との間には、発射板５０が介装されている。発射板５０は、平板状のバネ板より形成され、その上端部には、断面略円形の抜止部５１が形成されている。一方、支持枠１１の所定位置には、発射板５０を片持ち状に支持するための支持部１５が突設され、その支持部１５には、発射板５０の上端部から抜止部５１にわたって差し込まれる下端開口の保持溝１６が形成されている。そして、発射板５０は、その上端部から抜止部５１にわたって支持部１５の保持溝１６に差し込まれることで、略垂下状をなして片持ち状に支持され、その支持部分を支点として弾性変形可能になっている。
【００１３】
前記発射板５０の下部前面は、玉発射位置Ｐにある玉８０に対面し、その発射板５０の背面と発射槌４１との間には、ゴム等の弾性体よりなる断面円筒状の緩衝ストッパ６１がその中心部において取付部材６０によって支持枠１１に組み付けられている。前記緩衝ストッパ６１は、発射板５０を僅かに弾性変形させながら、その発射板５０の背面に隙間なく圧接している。さらに、緩衝ストッパ６１によって弾性変形された発射板５０の下部背面は発射槌４１の叩打部４２に当接し、この当接状態において、緩衝ストッパ６１と発射槌４１の他端部前面との間には、若干の隙間が設定されている。さらに、支持枠１１の所定位置には、発射槌４１の一端部前面に接離可能に当接する剛体ストッパ６２が支持枠１１と一体に形成されている。そして、剛体ストッパ６２によって発射槌４１の復帰方向への過大な回動が阻止されるるとともに、発射槌４１が待機位置に確実かつ正確に復帰されるようになっている。
【００１４】
また、この実施の形態において、図６に示すように、支持枠１１の裏面側には、球供給用駆動機構７２の駆動源をなす球供給ソレノイド７０が組み付けられている。そして、発射ソレノイド３０の間欠励磁と関連して球供給ソレノイド７０が間欠的に励磁され、そのプランジャー７１が進退されることで、球供給用駆動機構７２の作動部材７４が連結部材７３を介して軸７５を中心として往復回動されることで、周知の打球供給装置（図示しない）が作動され、これによって、発射レール２１の玉発射位置Ｐに玉８０が１個づつ間欠的に供給されるようになっている。
【００１５】
また、支持枠１１の裏面側には、供給停止用作動ロッド７７がガイド部材７８に案内されて移動可能に組み付けられている。この供給停止用作動ロッド７７の先端部は、球供給用駆動機構７２の作動部材７４に連結されており、下皿１０に溜められた玉が満タンになったときには、供給停止用作動ロッド７７が図６において左方に移動し、これによって作動部材７４を軸７５を中心として時計方向に所定角度だけ回動してその位置に拘束することで、発射レール２１の玉発射位置Ｐに対する玉８０の供給が停止されるようになっている。
【００１６】
上述したように構成されるこの実施の形態の発射装置２０において、発射レール２１の延長線から上方に離れた位置に発射ソレノイド３０が組み付けられるため、発射レール２１の玉発射位置Ｐをパチンコ機１の中心側に寄せる必要性が解消され、前板３の上皿４や打球供給装置の構成・組み付けに悪影響を及ぼすことが生じない。
【００１７】
また、ハンドル７が回動操作されることで、発射ソレノイド３０が間欠的に励磁され、そのプランジャー３１が進退動作される。前記プランジャー３１の前進時において、そのプランジャー３１の打撃部３３によって発射槌４１の打撃受部４３が打激される。すると、発射槌４１は、取付軸４０を中心として叩打方向（図２において時計方向）に回動されるとともに、緩衝ストッパ６１に当接してその緩衝ストッパ６１を僅かに弾性圧縮させながら叩打位置まで回動される。一方、発射レール２１の玉発射位置Ｐに供給された玉８０は、発射板５０の先端部寄り前側面に受け止められている。
【００１８】
そして、前記発射槌４１が叩打位置まで回動され、その発射槌４１の叩打部４２によって前記発射板５０の先端部寄り背面が叩打されることで、発射板５０は、その支持部分を支点として発射方向に弾性変形され、これによって、玉８０が発射される。この玉８０は、発射レール２１及び外側レール９に順次案内されて遊技盤５に飛ばされる。前記したように、玉発射位置Ｐにある玉８０は、発射槌４１の叩打部４２に直接叩打されることなく、平板状の発射板５０を介して叩打されるため、玉８０の叩打位置が不測にバラツキ、玉飛びが不安定となる不具合が防止される。
【００１９】
前記発射槌４１が叩打位置まで回動されると、これと略同時に発射ソレノイド３０が非励磁の状態に戻され、プランジャー３１は戻バネ３４の弾発力によって元の位置まで後退される。また、発射板５０は、玉８０を叩打した後、その弾性復元力によって、緩衝ストッパ６１に当接する元の状態に復帰される一方、発射槌４１は、その自重による復帰力に加え、発射板５０の弾性復元力及び緩衝ストッパ６１の弾性圧縮に基づく復元力によって、元の待機位置に向けて迅速に回動される。そして、発射槌４１は、剛体ストッパ６２に当接して元の待機位置に確実かつ正確に復帰される。
【００２０】
また、この実施の形態の発射装置２０において、発射槌４１は、その略中央の取付軸４０を中心として支持枠１１に回動可能に組み付けられ、その発射槌４１の一端部に打撃受部４３が設けられ、他端部に叩打部４２が設けられているため、発射槌４１の回動中心から打撃受部４３までの距離寸法と、同発射槌４１の回動中心から叩打部４２までの距離寸法との比率を変えることで、発射槌４１の回動角度に基づく同発射槌４１の叩打部４２の変位ストロークや変位スピードが容易に変更される。また、発射槌４１は合成樹脂製で軽量であるため、発射ソレノイド３０の打撃による発射槌４１の反応が迅速となる。さらに、従来のモータ駆動式やロータリーソレノイド式のものと比べ、発射槌４１の回動範囲は極めて小さい。このため、玉発射位置Ｐの後方に余裕ができ、玉発射位置Ｐや発射レール２１の配置において自由度が高くなる。
【００２１】
さらに、支持枠１１の組付室１４に防振ゴム３５を介して発射ソレノイド３０が防振状態で組み付けられているため、発射ソレノイド３０の作動時の振動が防振ゴム３５によって吸収され、騒音発生が防止される。さらにまた、支持枠１１には発射ソレノイド３０が発する熱を逃がす放熱孔１３が貫設されているため、発射ソレノイド３０を長時間に亘って連続作動しても発射ソレノイド３０やその近傍部品の熱損傷が防止される。
【００２２】
なお、前記実施の形態では、発射ソレノイド３０のプランジャー３１によって発射槌４１を打撃し、その打撃力に基づいて発射槌４１を叩打方向に回動して発射板５０を介して発射レール２１の玉発射位置Ｐにある玉８０を発射するように構成したが、これに限定するものではない。例えば、発射ソレノイド３０のプランジャー３１の先端部と発射槌４１とをピンと長孔等によって連結してもよい。
【００２３】
【発明の効果】
以上述べたように、本発明によれば、発射レールの玉発射位置をパチンコ機の中心側に寄せることなく、発射ソレノイドを駆動源として採用することができる。また、玉発射位置にある玉は、発射槌の叩打部に直接叩打されることなく、平板状の発射板を介して叩打されるため、玉の叩打位置が不測にバラツキ、玉飛びが不安定となる、というような不具合が防止できる。
【図面の簡単な説明】
【図１】  パチンコ機の発射装置を示す正面図である。
【図２】  発射レールの玉が発射された状態を示す作用説明図である。
【図３】  図１のIII−III線に基づく断面図である。
【図４】  図１のIV−IV線に基づく断面図である。
【図５】  図１のＶ−Ｖ線に基づく断面図である。
【図６】  球供給用駆動機構と供給停止用作動ロッドとの関係を示す説明図である。
【図７】  発射装置が組み込まれたパチンコ機全体を示す正面図である。
【符号の説明】
１    …パチンコ機
５    …遊技盤
１１  …支持枠
２０  …発射装置
２１  …発射レール
３０  …発射ソレノイド
３１  …プランジャー
４０  …取付軸
４１  …発射槌
４２  …叩打部
４３  …打撃受部
５０  …発射板
８０  …玉
Ｐ    …玉発射位置
【図１】
0004072793.tif 000002
【図２】
0004072793.tif 000003
【図３】
0004072793.tif 000004
【図４】
0004072793.tif 000005
【図５】
0004072793.tif 000006
【図６】
0004072793.tif 000007
【図７】
0004072793.tif 000008